(57)【特許請求の範囲】
【請求項１】
着信が発生したときに、発生した着信に係る着信履歴データを着信履歴データ保存手段に保存可能な制御手段を備えた通信端末において、
少なくとも着信種別が不在着信である保存条件、相手先電話番号がメモリダイヤルとして登録されている電話番号である保存条件、相手先電話番号が発信者電話番号通知サービスを有効としている電話番号である保存条件を一覧表示する表示手段と、
前記表示手段に一覧表示されている前記複数の保存条件のうちのいずれかの保存条件を指定可能な保存条件指定手段とを備え、
前記制御手段は、前記保存条件指定手段が指定したいずれかの保存条件を満たす着信に係る着信履歴データを前記着信履歴データ保存手段に保存することを特徴とする通信端末。
【請求項２】
着信が発生したときに、発生した着信に係る着信履歴データを着信履歴データ保存手段に保存可能な制御手段を備えた通信端末において、
少なくとも発生した着信の相手先電話番号が前記着信履歴データ保存手段に既に保存されている着信履歴データの相手先電話番号と同一であるときに当該発生した着信に係る着信履歴データを新規保存する保存方法、発生した着信の相手先電話番号が前記着信履歴データ保存手段に既に保存されている着信履歴データの相手先電話番号と同一であるときに当該発生した着信に係る着信履歴データを上書き保存する保存方法を一覧表示する表示手段と、
前記表示手段に一覧表示されている前記複数の保存方法のうちのいずれかの保存方法を指定可能な保存方法指定手段とを備え、
前記制御手段は、前記保存方法指定手段が指定した保存方法にしたがって着信に係る着信履歴データを前記着信履歴データ保存手段に保存することを特徴とする通信端末。
【請求項３】
前記表示手段は、少なくとも発生した着信の相手先電話番号が前記着信履歴データ保存手段に既に保存されている着信履歴データの相手先電話番号と同一であるときに当該発生した着信に係る着信履歴データを新規保存する保存方法、発生した着信の相手先電話番号が前記着信履歴データ保存手段に既に保存されている着信履歴データの相手先電話番号と同一であるときに当該発生した着信に係る着信履歴データを上書き保存する保存方法、発生した着信の相手先電話番号が前記着信履歴データ保存手段に既に保存されている着信履歴データの相手先電話番号と同一であって着信日時が一定時間内であるときに当該発生した着信に係る着信履歴データを上書き保存すると共に当該着信の着信回数を保存する保存方法、発生した着信の相手先電話番号が前記着信履歴データ保存手段に既に保存されている着信履歴データの相手先電話番号と同一であって着信種別が不在着信であるときに当該発生した着信に係る着信履歴データを上書き保存すると共に当該着信の不在着信回数を保存する保存方法を一覧表示することを特徴とする請求項２記載の通信端末。
【発明の詳細な説明】
【０００１】
【発明の属する技術分野】
本発明は、着信に係る着信履歴データを保存可能な例えば携帯電話機などの通信端末に関する。
【０００２】
【発明が解決しようとする課題】
近年、電気通信技術の進歩に伴って、携帯電話機や簡易型の携帯電話機（ＰＨＳ：Personal Handyphone System）などの通信端末が広く普及している。さて、携帯電話機を例にして説明すると、携帯電話機は、一般的には、過去に発生した着信に対して、着信した日時を示す着信日時、相手先の電話番号を示す相手先電話番号、着信に対して応答したか否かを示す着信種別などを着信履歴データとして保存する着信履歴機能を備えている。
【０００３】
このものによれば、ユーザは、着信履歴データを読出すことにより、過去に発生した着信に対して、着信日時、相手先電話番号、着信種別などを確認することができ、これにより、例えば着信に対して応答しなかった相手がいるか否かを確認することができ、着信に対して応答しなかった相手がいれば、その相手先電話番号を確認し、その相手に発信することができる。
【０００４】
ところで、この場合、着信履歴データを保存可能な件数にはある程度の限界がある。そのため、着信履歴データを保存可能な件数である最大件数が例えば２０件であると仮定すると、保存している着信履歴の件数が最大件数である２０件に達しているときに、新たに他の着信が発生すると、２０件の着信履歴データのうちの着信日時が最も古い着信履歴データを削除し、新たに発生した他の着信に係る着信履歴データを保存するようになっている。
【０００５】
さて、従来のものは、着信が発生すると、発生した全ての着信に係る着信履歴データを保存するようになっている。しかしながら、発生した全ての着信に係る着信履歴データを保存する構成では、次に示すような問題がある。
【０００６】
すなわち、ユーザが、例えば着信に対して応答しなかった相手のみを確認できるように、着信種別が不在着信である着信の着信履歴データのみを保存しておくことを要望しても、着信種別が通常着信であるか不在着信であるかに拘らず、全ての着信の着信履歴データを順次保存することになるので、場合によっては、ユーザが不在着信の着信履歴データを読出すよりも前に、つまり、ユーザが着信に対して応答しなかった相手を確認するよりも前に、ユーザが読出していない不在着信の着信履歴データが削除されてしまうことになる。
【０００７】
また、ユーザが、例えばメモリダイヤルに登録している相手からの着信のみを確認できるように、メモリダイヤルに登録している相手からの着信の着信履歴データのみを保存しておくことを要望しても、メモリダイヤルに登録しているか否かに拘らず、全ての着信の着信履歴データを順次保存することになるので、場合によっては、ユーザがメモリダイヤルに登録している相手からの着信の着信履歴データを読出すよりも前に、つまり、ユーザがメモリダイヤルに登録している相手からの着信を確認するよりも前に、ユーザが読出していないメモリダイヤルに登録している相手からの着信の着信履歴データが削除されてしまうことになる。
【０００８】
一方、これとは別に、従来のものは、発生した着信の相手先電話番号が、メモリに既に保存されている着信履歴データの相手先電話番号と同一であるときには、発生した着信に係る着信履歴データを新規保存するタイプのものと、発生した着信に係る着信履歴データを上書き保存するタイプのものとがある。しかしながら、従来においては、これら２つのタイプのものは、機種により固定されているので、それらを適宜選択して使用することは不可能である。
【０００９】
本発明は、上記した事情に鑑みてなされたものであり、その第１の目的は、特定の保存条件を選択して指定することにより、特定の保存条件を満たす着信に係る着信履歴データのみを保存することができ、それにより、使い勝手の向上を図ることができる通信端末を提供することにある。また、第２の目的は、特定の保存方法を選択して指定することにより、特定の保存方法にしたがって着信に係る着信履歴データを保存することができ、それにより、使い勝手の向上を図ることができる通信端末を提供することにある。
【００１０】
【課題を解決するための手段】
請求項１記載の通信端末によれば、表示手段は、少なくとも着信種別が不在着信である保存条件、相手先電話番号がメモリダイヤルとして登録されている電話番号である保存条件、相手先電話番号が発信者電話番号通知サービスを有効としている電話番号である保存条件を一覧表示し、保存条件指定手段は、表示手段に一覧表示されている前記複数の保存条件のうちのいずれかの保存条件を指定する。そして、制御手段は、保存条件指定手段が指定した保存条件を満たす着信に係る着信履歴データを着信履歴データ保存手段に保存する。
【００１１】
すなわち、このものによれば、着信種別が不在着信である保存条件を指定すると、着信種別が不在着信である着信に係る着信履歴データのみを保存することができ、また、相手先電話番号がメモリダイヤルとして登録されている電話番号である保存条件を指定すると、相手先電話番号がメモリダイヤルとして登録されている電話番号である着信に係る着信履歴データのみを保存することができ、さらに、相手先電話番号が発信者電話番号通知サービスを有効としている電話番号である保存条件を指定すると、相手先電話番号が発信者電話番号通知サービスを有効としている電話番号である着信に係る着信履歴データのみを保存することができる。
このように特定の保存条件を指定すると、指定した特定の保存条件を満たす着信に係る着信履歴データのみを保存することができ、それにより、使い勝手の向上を図ることができる。
【００１４】
請求項２記載の通信端末によれば、表示手段は、少なくとも発生した着信の相手先電話番号が着信履歴データ保存手段に既に保存されている着信履歴データの相手先電話番号と同一であるときに当該発生した着信に係る着信履歴データを新規保存する保存方法、発生した着信の相手先電話番号が着信履歴データ保存手段に既に保存されている着信履歴データの相手先電話番号と同一であるときに当該発生した着信に係る着信履歴データを上書き保存する保存方法のうちのいずれかの保存方法を一覧表示し、保存方法指定手段は、表示手段に一覧表示されている前記複数の保存方法のうちのいずれかの保存方法を指定する。そして、制御手段は、保存方法指定手段が指定した保存方法にしたがって着信に係る着信履歴データを着信履歴データ保存手段に保存する。
【００１５】
すなわち、このものによれば、新規保存する保存方法を指定すると、発生した着信の相手先電話番号が、着信履歴データ保存手段に既に保存されている着信履歴データの相手先電話番号と同一であれば、発生した着信に係る着信履歴データを新規保存することができ、また、上書き保存する保存方法を指定すると、発生した着信の相手先電話番号が、着信履歴データ保存手段に既に保存されている着信履歴データの相手先電話番号と同一であれば、発生した着信に係る着信履歴データを上書き保存することができる。
このように特定の保存方法を指定すると、指定した特定の保存方法にしたがって着信に係る着信履歴データを保存することができ、それにより、使い勝手の向上を図ることができる。
【００１６】
請求項３記載の通信端末によれば、表示手段は、少なくとも発生した着信の相手先電話番号が着信履歴データ保存手段に既に保存されている着信履歴データの相手先電話番号と同一であるときに当該発生した着信に係る着信履歴データを新規保存する保存方法、発生した着信の相手先電話番号が着信履歴データ保存手段に既に保存されている着信履歴データの相手先電話番号と同一であるときに当該発生した着信に係る着信履歴データを上書き保存する保存方法、発生した着信の相手先電話番号が着信履歴データ保存手段に既に保存されている着信履歴データの相手先電話番号と同一であって着信日時が一定時間内であるときに当該発生した着信に係る着信履歴データを上書き保存すると共に当該着信の着信回数を保存する保存方法、発生した着信の相手先電話番号が着信履歴データ保存手段に既に保存されている着信履歴データの相手先電話番号と同一であって着信種別が不在着信であるときに当該発生した着信に係る着信履歴データを上書き保存すると共に当該着信の不在着信回数を保存する保存方法を一覧表示する。
【００１７】
すなわち、このものによれば、上記した請求項４に記載したように、発生した着信に係る着信履歴データを新規保存することができ、また、発生した着信に係る着信履歴データを上書き保存することができる上に、上書き保存すると共に当該着信の着信回数を保存する保存方法を指定すると、発生した着信の相手先電話番号が、着信履歴データ保存手段に既に保存されている着信履歴データの相手先電話番号と同一であって着信日時が一定時間内であれば、発生した着信に係る着信履歴データを上書き保存することができると共に、発生した着信の着信回数を保存することができる。
【００１８】
さらに、上書き保存すると共に当該着信の不在着信回数を保存する保存方法を指定すると、発生した着信の相手先電話番号が、着信履歴データ保存手段に既に保存されている着信履歴データの相手先電話番号と同一であって着信種別が不在着信であれば、発生した着信に係る着信履歴データを上書き保存することができると共に、発生した着信の不在着信回数を保存することができる。
【００２５】
【発明の実施の形態】
以下、本発明を携帯電話機に適用した一実施例について、図面を参照して説明する。
まず、図２は、携帯電話機の全体の構成を外観斜視図として示している。携帯電話機１において、本体２の表面側には、通話開始キー３ａ、リダイヤル／クリアキー３ｂ、通話終了／電源キー３ｃ、「０」〜「９」の数字キー３ｄ（図２では「３」を代表して符号を付している）、＊（アスタリスク）キー３ｅ、＃（シャープ）キー３ｆ、メニュー／決定キー３ｇ、文字キー３ｈおよび上下左右のカーソルキー３ｉの各種のキーが配列されてなるキーパッド３（本発明でいう保存条件指定手段および保存方法指定手段）が配設されている。
【００２６】
また、本体２の表面側には、キーパッド３の上方に位置して、ディスプレイ４（本発明でいう表示手段）が配設されており、ディスプレイ４の上方に位置して、受話音声を出力するレシーバ５および着信したときに点滅するＬＥＤ６が配設されている。さらに、本体２の表面側には、キーパッド３の下方に位置して、送話音声を入力するマイクロホン７が配設されている。そして、アンテナ８は、本体２の上端部に引出し可能に配設されており、また、フリップ９は、本体２のキーパッド３を開閉可能に覆うように配設されている。
【００２７】
次いで、図３は、上記した携帯電話機１の電気的な構成を機能ブロック図として示している。
本体２の内部には、マイクロコンピュータを主体として構成されてなる制御回路１０（本発明でいう制御手段）が配設されており、制御回路１０には、無線回路１１、音声入出力回路１２、キー操作識別回路１３、ディスプレイ制御回路１４、ＬＥＤ制御回路１５の各回路ならびにメモリ１６（本発明でいう着信履歴データ保存手段）が接続されている。
【００２８】
そして、無線回路１１には、上記アンテナ８が接続され、音声入出力回路１２には、上記マイクロホン７および上記レシーバ５が接続されている。また、キー操作識別回路１３には、上記キーパッド３が接続され、ディスプレイ制御回路１４には、上記ディスプレイ４が接続され、ＬＥＤ制御回路１５には、上記ＬＥＤ６が接続されている。
【００２９】
このような構成によれば、マイクロホン７は、外部から送話音声を入力すると、入力した送話音声を音声信号から電気信号に変換して送信信号を生成し、音声入出力回路１２は、マイクロホン７から送信信号を入力すると、入力した送信信号を音声処理し、無線回路１１は、音声入出力回路１２から制御回路１０を通じて送信信号を入力すると、入力した送信信号を無線処理してアンテナ８に出力し、そして、アンテナ８は、無線回路１１から送信信号を入力すると、入力した送信信号を所定の通信周波数帯域（例えば８００ＭＨｚ帯域）の送信電波として放射する。
【００３０】
また、無線回路１１は、アンテナ８が所定の通信周波数帯域（例えば８００ＭＨｚ帯域）の電波を受信電波として捕捉し、それに応じて、アンテナ８から受信電波を入力すると、入力した受信電波を無線処理して受信信号を生成し、音声入出力回路１２は、無線回路１１から制御回路１０を通じて受信信号を入力すると、入力した受信信号を音声処理し、そして、レシーバ５は、音声入出力回路１２から受信信号を入力すると、入力した受信信号を電気信号から音声信号に変換して受話音声を生成し、生成した受話音声を外部に出力する。
【００３１】
キー操作識別回路１３は、ユーザがキーを操作したときに、キーパッド３からキー操作信号を入力すると、入力したキー操作信号を識別し、ユーザが操作したキーを示すキー操作識別信号を制御回路１０に出力し、制御回路１０は、キー操作識別回路１３からキー操作識別信号を入力すると、入力したキー操作識別信号を解読する。
【００３２】
ディスプレイ制御回路１４は、制御回路１０から表示指令を入力すると、入力した表示指令に応じて表示情報をディスプレイ４に表示させ、また、ＬＥＤ制御回路１５は、制御回路１０から点滅指令を入力すると、入力した点滅指令に応じてＬＥＤ６を点滅させる。
【００３３】
メモリ１６は、図４に示すように、着信履歴機能として最大で２０件の着信履歴データを保存することが可能に構成されている。この場合、１件分の着信履歴データは、着信した日時を示す着信日時、相手先の電話番号を示す相手先電話番号、相手先電話番号に対応してメモリダイヤルに登録している登録名および着信に対して応答したか否かを示す着信種別の情報要素を１ブロック（ファイル）として構成されている。尚、図４では、相手先電話番号の欄に示している「×」は、使用が許可されている番号である。
【００３４】
この場合、メモリ１６は、発信側で発信者電話番号通知サービスを有効に設定していれば、相手先電話番号を保存するが、発信側で発信者電話番号通知サービスを無効に設定していれば、相手先電話番号を保存することはなく、また、相手先電話番号に対応してメモリダイヤルに登録名を登録してあれば、登録名を保存するが、登録名を登録していなければ、登録名を保存することはない。
【００３５】
そして、制御回路１０は、制御プログラムを実行することにより、各種の処理を実行し、その一つとして、着信が発生すると、発生した着信に係る着信履歴データをメモリ１６に保存する処理を実行する。
【００３６】
さて、着信履歴データを保存するか否かの保存条件としては、図５および図６に示すように、「全て保存」、「不在着信のみ」、「登録メモリのみ」、「指定メモリのみ」、「発番号ありのみ」および「全て破棄」の６つの保存条件がある。
【００３７】
ここで、「全て保存」の保存条件とは、着信種別や相手先電話番号に拘らず、全ての着信に係る着信履歴データを保存する条件であり、「不在着信のみ」の保存条件とは、着信種別が不在着信である着信に係る着信履歴データのみを保存する条件である。「登録メモリのみ」の保存条件とは、相手先電話番号がメモリダイヤルに登録されている電話番号である着信に係る着信履歴データのみを保存する条件であり、「指定メモリのみ」の保存条件とは、相手先電話番号がメモリダイヤルに登録されている電話番号であって指定された電話番号である着信に係る着信履歴データのみを保存する条件である。
【００３８】
「発番号ありのみ」の保存条件とは、相手先電話番号が発信者電話番号通知サービスを有効としている電話番号である着信に係る着信履歴データのみを保存する条件である。そして、「全て破棄」の保存条件とは、全ての着信に係る着信履歴データを保存しない条件である。
【００３９】
また、着信履歴データを保存するための保存方法としては、図７および図８に示すように、「全て保存」、「上書き保存」、「着信回数表示」および「不在着信回数表示」の４つの保存方法がある。
【００４０】
ここで、「全て保存」の保存方法とは、発生した着信の相手先電話番号が既に保存されている着信履歴データの相手先電話番号と同一であるか否かに拘らず、発生した着信に係る着信履歴データを新規保存する方法である。「上書き保存」の保存方法とは、発生した着信の相手先電話番号が既に保存されている着信履歴データの相手先電話番号と同一であるときに、発生した着信に係る着信履歴データを上書き保存する方法である。
【００４１】
「着信回数表示」の保存方法とは、発生した着信の相手先電話番号が既に保存されている着信履歴データの相手先電話番号と同一であって着信日時が一定時間内であるときに、発生した着信に係る着信履歴データを上書き保存すると共に、発生した着信の着信回数を保存する方法である。そして、「不在着信回数表示」の保存方法とは、発生した着信の相手先電話番号が既に保存されている着信履歴データの相手先電話番号と同一であって着信種別が不在着信であるときに、発生した着信に係る着信履歴データを上書き保存すると共に、発生した着信の不在着信回数を保存する方法である。
【００４２】
そして、制御回路１０は、これら６つの保存条件のうちのいずれかの保存条件選択して設定し、また、４つの保存方法のうちのいずれかの保存方法を選択して設定し、設定している保存条件および保存方法に基づいて、以下に説明する処理を実行する。
【００４３】
次に、上記した構成の作用について、図１および図５〜図１０を参照して説明する。
まず、上記した図５および図６を参照して、制御回路１０が「全て保存」、  「不在着信のみ」、「登録メモリのみ」、「指定メモリのみ」、「発番号ありのみ」および「全て破棄」の６つの保存条件のうちのいずれかの保存条件を選択して設定する際のディスプレイ４における表示画面の遷移について説明する。
【００４４】
まず、ユーザが「保存条件選択」の表示画面を読出すためのキーを操作すると、制御回路１０は、ディスプレイ制御回路１４に表示指令を出力することにより、「保存条件選択」の表示画面をディスプレイ４に表示させる（図５中、画面１参照）。このとき、制御回路１０は、その時点で設定している保存条件（ここでは、「全て保存」の保存条件）を表示させる。
【００４５】
次いで、この状態から、ユーザがメニュー／決定キー３ｇを操作すると、制御回路１０は、「保存条件設定」の表示画面をディスプレイ４に表示させ、その時点で設定している保存条件（ここでは、「全て保存」の保存条件）を反転表示させると共に、「全て保存」、「不在着信のみ」、「登録メモリのみ」、「指定メモリのみ」、「発番号ありのみ」および「全て破棄」の６つの保存条件のうちのいずれかの保存条件を選択して設定可能であることを表示させる（図５中、画面２参照）。尚、図５および図６では、反転表示している部分を破線にて囲むことにより示している。
【００４６】
さて、この状態において、ユーザは、上下左右のカーソルキー３ｉを操作することにより、「全て保存」、「不在着信のみ」、「登録メモリのみ」、「指定メモリのみ」、「発番号ありのみ」および「全て破棄」の６つの保存条件のうちのいずれかの保存条件を選択することができる。
【００４７】
ここで、ユーザが例えば上下左右のカーソルキー３ｉを操作し、「不在着信のみ」の保存条件を選択し（図５中、画面３参照）、次いで、メニュー／決定キー３ｇを操作すると、制御回路１０は、その時点で設定している「全て保存」の保存条件に代わって、新たに選択された「不在着信のみ」の保存条件を設定し、  「設定しました」の表示画面をディスプレイ４に表示させる（図５中、画面４参照）。
【００４８】
そして、制御回路１０は、所定時間（例えば２秒）が経過したのち、「保存条件選択」の表示画面をディスプレイ４に再度表示させ、このとき、新たに設定した保存条件が「不在着信のみ」の保存条件であることを表示させる（図５中、画面５参照）。
【００４９】
以下、これと同様にして、ユーザが例えば上下左右のカーソルキー３ｉを操作し、「登録メモリのみ」の保存条件を選択し（図５中、画面６参照）、次いで、メニュー／決定キー３ｇを操作すると、制御回路１０は、その時点で設定している「全て保存」の保存条件に代わって、新たに選択された「登録メモリのみ」の保存条件を設定し、「設定しました」の表示画面をディスプレイ４に表示させ  （図５中、画面７参照）、所定時間（例えば２秒）が経過したのち、「保存条件選択」の表示画面をディスプレイ４に再度表示させ、新たに設定した保存条件が「登録メモリのみ」の保存条件であることを表示させる（図５中、画面８参照）。
【００５０】
また、ユーザが例えば上下左右のカーソルキー３ｉを操作し、「指定メモリのみ」の保存条件を選択し（図６中、画面９参照）、次いで、メニュー／決定キー３ｇを操作すると、制御回路１０は、その時点で設定している「全て保存」の保存条件に代わって、新たに選択された「指定メモリのみ」の保存条件を設定し、「設定しました」の表示画面をディスプレイ４に表示させ（図６中、画面１０参照）、所定時間（例えば２秒）が経過したのち、「保存条件選択」の表示画面をディスプレイ４に再度表示させ、新たに設定した保存条件が「指定メモリのみ」の保存条件であることを表示させる（図６中、画面１１参照）。
【００５１】
また、ユーザが例えば上下左右のカーソルキー３ｉを操作し、「発番号ありのみ」の保存条件を選択し（図６中、画面１２参照）、次いで、メニュー／決定キー３ｇを操作すると、制御回路１０は、その時点で設定している「全て保存」の保存条件に代わって、新たに選択された「発番号ありのみ」の保存条件を設定し、「設定しました」の表示画面をディスプレイ４に表示させ（図６中、画面１３参照）、所定時間（例えば２秒）が経過したのち、「保存条件選択」の表示画面をディスプレイ４に再度表示させ、新たに設定した保存条件が「発番号ありのみ」の保存条件であることを表示させる（図６中、画面１４参照）。
【００５２】
さらに、ユーザが例えば上下左右のカーソルキー３ｉを操作し、「全て破棄」の保存条件を選択し（図６中、画面１５参照）、次いで、メニュー／決定キー３ｇを操作すると、制御回路１０は、その時点で設定している「全て保存」の保存条件に代わって、新たに選択された「全て破棄」の保存条件を設定し、「設定しました」の表示画面をディスプレイ４に表示させ（図６中、画面１６参照）、所定時間（例えば２秒）が経過したのち、「保存条件選択」の表示画面をディスプレイ４に再度表示させ、新たに設定した保存条件が「全て破棄」の保存条件であることを表示させる（図６中、画面１７参照）。
【００５３】
これに対して、ユーザが「全て保存」の保存条件を選択し（図５中、画面２参照）、次いで、メニュー／決定キー３ｇを操作すると、制御回路１０は、その時点で設定している「全て保存」の保存条件を継続して設定し、「設定しました」の表示画面をディスプレイ４に表示させ（図５中、画面１８参照）、所定時間  （例えば２秒）が経過したのち、「保存条件選択」の表示画面をディスプレイ４に再度表示させ、保存条件が「全て保存」の保存条件であることを表示させる  （図５中、画面１９参照）。
【００５４】
以上のようにして、制御回路１０は、ユーザがキーを操作することに応じて、「全て保存」、「不在着信のみ」、「登録メモリのみ」、「指定メモリのみ」、「発番号ありのみ」および「全て破棄」の６つの保存条件のうちのいずれかの保存条件を選択して設定することができる。
【００５５】
次に、上記した図７および図８を参照して、制御回路１０が「全て保存」、  「上書き保存」、「着信回数表示」および「不在着信回数表示」の４つの保存方法のうちのいずれかの保存方法を選択して設定する際のディスプレイ４における表示画面の遷移について説明する。
【００５６】
まず、ユーザが「保存方法選択」の表示画面を読出すためのキーを操作すると、制御回路１０は、ディスプレイ制御回路１４に表示指令を出力することにより、「保存方法選択」の表示画面をディスプレイ４に表示させる（図７中、画面１参照）。このとき、制御回路１０は、その時点で設定している保存方法（ここでは、「全て保存」の保存方法）を表示させる。
【００５７】
次いで、この状態から、ユーザがメニュー／決定キー３ｇを操作すると、制御回路１０は、「保存方法設定」の表示画面をディスプレイ４に表示させ、その時点で設定している保存方法（ここでは、「全て保存」の保存方法）を反転表示させると共に、「全て保存」、「上書き保存」、「着信回数表示」および「不在着信回数表示」の４つの保存方法のうちのいずれかの保存方法を選択して設定可能であることを表示させる（図７中、画面２参照）。尚、図７および図８でも、反転表示している部分を破線にて囲むことにより示している。
【００５８】
さて、この状態において、ユーザは、上下左右のカーソルキー３ｉを操作することにより、「全て保存」、「上書き保存」、「着信回数表示」および「不在着信回数表示」の４つの保存方法のうちのいずれかの保存方法を選択することができる。
【００５９】
ここで、ユーザが例えば上下左右のカーソルキー３ｉを操作し、「上書き保存」の保存方法を選択し（図７中、画面３参照）、次いで、メニュー／決定キー３ｇを操作すると、制御回路１０は、その時点で設定している「全て保存」の保存方法に代わって、新たに選択された「上書き保存」の保存方法を設定し、「設定しました」の表示画面をディスプレイ４に表示させる（図７中、画面４参照）。
【００６０】
そして、制御回路１０は、所定時間（例えば２秒）が経過したのち、「保存方法選択」の表示画面をディスプレイ４に再度表示させ、このとき、新たに設定した保存方法が「上書き保存」の保存方法であることを表示させる（図７中、画面５参照）。
【００６１】
以下、これと同様にして、ユーザが例えば上下左右のカーソルキー３ｉを操作し、「着信回数表示」の保存方法を選択し（図７中、画面６参照）、次いで、メニュー／決定キー３ｇを操作すると、制御回路１０は、その時点で設定している「全て保存」の保存方法に代わって、新たに選択された「着信回数表示」の保存方法を設定し、「設定しました」の表示画面をディスプレイ４に表示させ（図７中、画面７参照）、所定時間（例えば２秒）が経過したのち、「保存方法選択」の表示画面をディスプレイ４に再度表示させ、新たに設定した保存方法が「着信回数表示」の保存方法であることを表示させる（図７中、画面８参照）。
【００６２】
また、ユーザが例えば上下左右のカーソルキー３ｉを操作し、「不在着信回数表示」の保存方法を選択し（図８中、画面９参照）、次いで、メニュー／決定キー３ｇを操作すると、制御回路１０は、その時点で設定している「全て保存」の保存方法に代わって、新たに選択された「不在着信回数表示」の保存方法を設定し、「設定しました」の表示画面をディスプレイ４に表示させ（図８中、画面１０参照）、所定時間（例えば２秒）が経過したのち、「保存方法選択」の表示画面をディスプレイ４に再度表示させ、新たに設定した保存方法が「不在着信回数表示」の保存方法であることを表示させる（図８中、画面１１参照）。
【００６３】
これに対して、ユーザが「全て保存」の保存方法を選択し（図７中、画面２参照）、次いで、メニュー／決定キー３ｇを操作すると、制御回路１０は、その時点で設定している「全て保存」の保存方法を継続して設定し、「設定しました」の表示画面をディスプレイ４に表示させ（図７中、画面１２参照）、所定時間  （例えば２秒）が経過したのち、「保存方法選択」の表示画面をディスプレイ４に再度表示させ、保存方法が「全て保存」の保存方法であることを表示させる  （図７中、画面１３参照）。
【００６４】
以上のようにして、制御回路１０は、ユーザがキーを操作することに応じて、「全て保存」、「上書き保存」、「着信回数表示」および「不在着信回数表示」の４つの保存方法のうちのいずれかの保存方法を選択して設定することができる。
【００６５】
次に、図１は、着信が発生した際に、制御回路１０が実行する処理の内容をフローチャートにして示している。
制御回路１０は、着信が発生したことを検出すると、ステップＳ１において  「ＹＥＳ」と判定し、その時点で設定している保存条件を判定する（ステップＳ２）。
【００６６】
そして、制御回路１０は、発生した着信が、その時点で設定している保存条件を満たしている着信であるか否かを判定し（ステップＳ３）、保存条件を満たしている着信であれば、ステップＳ３において「ＹＥＳ」と判定し、これ以降、発生した着信に係る着信履歴データを保存する処理を実行する。
【００６７】
具体的には、制御回路１０は、「全て保存」の保存条件を設定していれば、着信種別や相手先電話番号に拘らず、これ以降、発生した着信に係る着信履歴データを保存する処理を実行する。これに対して、制御回路１０は、「不在着信のみ」の保存条件を設定していれば、着信種別が不在着信である場合に限って、これ以降、発生した着信に係る着信履歴データを保存する処理を実行する。
【００６８】
また、制御回路１０は、「登録メモリのみ」の保存条件を設定していれば、相手先電話番号がメモリダイヤルに登録されている電話番号である場合に限って、これ以降、発生した着信に係る着信履歴データを保存する処理を実行する。また、制御回路１０は、「指定メモリのみ」の保存条件を設定していれば、相手先電話番号がメモリダイヤルに登録されている電話番号であって指定された電話番号である場合に限って、これ以降、発生した着信に係る着信履歴データを保存する処理を実行する。
【００６９】
また、制御回路１０は、「発番号ありのみ」の保存条件を設定していれば、相手先電話番号が発信者電話番号通知サービスを有効としている電話番号である場合に限って、これ以降、発生した着信に係る着信履歴データを保存する処理を実行する。これに対して、制御回路１０は、「全て破棄」の保存条件を設定していれば、これ以降、発生した着信に係る着信履歴データを保存する処理を実行しない。
【００７０】
そして、制御回路１０は、このようにして、発生した着信が、その時点で設定している保存条件を満たしている着信であると判定すると、ステップＳ３において「ＹＥＳ」と判定し、その時点で設定している保存方法を判定する（ステップＳ４）。そして、制御回路１０は、その時点で設定している保存方法にしたがって発生した着信に係る着信履歴データを保存する着信履歴データ保存処理に移行する（ステップＳ５）。
【００７１】
以下、上記した「全て保存」、「上書き保存」、「着信回数表示」および「不在着信回数表示」の４つの保存方法のうちの「着信回数表示」および「不在着信回数表示」の２つの保存方法について、着信履歴データ保存処理を説明する。
【００７２】
まず、図９は、制御回路１０が「着信回数表示」の保存方法を設定している場合における着信履歴データ保存処理の制御内容を示している。
制御回路１０は、着信履歴データ保存処理に移行すると、新たに発生した着信の相手先電話番号がメモリ１６に既に保存されている着信履歴データの相手先電話番号と同一であるか否かを判定する（ステップＳ１１）。
【００７３】
ここで、制御回路１０は、新たに発生した着信の相手先電話番号がメモリ１６に既に保存されている着信履歴データの相手先電話番号と同一であれば、ステップＳ１１において「ＹＥＳ」と判定し、新たに発生した着信の着信日時と、新たに発生した着信の相手先電話番号と同一である相手先電話番号を有する着信履歴データの着信日時とを比較することにより、新たに発生した着信の着信日時が一定時間内であるか否かを判定する（ステップＳ１２）。尚、ここでいう一定時間とは、ユーザが任意に設定可能であっても良く、また、固定されているものであっても良い。
【００７４】
そして、制御回路１０は、着信日時が一定時間内であれば、ステップＳ１２において「ＹＥＳ」と判定し、新たに発生した着信の相手先電話番号と同一である相手先電話番号を有する着信履歴データを削除する（ステップＳ１３）。そして、制御回路１０は、新たに発生した着信に係る着信履歴データを１件目（先頭）に保存し、これと同時に、該当する相手先電話番号からの着信の回数を示す着信回数を保存する（ステップＳ１４）。
【００７５】
一方、制御回路１０は、新たに発生した着信の相手先電話番号がメモリ１６に既に保存されている着信履歴データの相手先電話番号と同一でなければ、ステップＳ１１において「ＮＯ」と判定し、また、新たに発生した着信の相手先電話番号がメモリ１６に既に保存されている着信履歴データの相手先電話番号と同一であっても、それらの着信日時が一定時間内でなければ、ステップＳ１２において「ＮＯ」と判定し、保存されている着信履歴データの件数が保存可能な最大件数（ここでは、２０件）に達しているか否かを判定する（ステップＳ１５）。そして、制御回路１０は、保存されている着信履歴データの件数が最大件数に達していなければ、ステップＳ１５において「ＮＯ」と判定し、新たに発生した着信に係る着信履歴データを１件目（先頭）に保存する（ステップＳ１６）。
【００７６】
また、制御回路１０は、保存されている着信履歴データの件数が最大件数に達していれば、ステップＳ１５において「ＹＥＳ」と判定し、保存されている着信履歴データのうちの例えば着信日時が最も古い着信履歴データを削除し（ステップＳ１７）、新たに発生した着信に係る着信履歴データを１件目（先頭）に保存する（ステップＳ１６）。
【００７７】
このようにして、制御回路１０は、「着信回数表示」の保存方法を設定している場合には、新たに発生した着信の相手先電話番号がメモリ１６に既に保存されている着信履歴データの相手先電話番号と同一であって着信日時が一定時間内であれば、新たに発生した着信に係る着信履歴データを上書き保存し、その際、着信回数を保存する。そして、これ以降、ユーザが着信回数を読出すためのキーを操作すると、制御回路１０は、ディスプレイ制御回路１４に表示指令を出力することにより、着信回数をディスプレイ４に表示させる。
【００７８】
次に、図１０は、制御回路１０が「不在着信回数表示」の保存方法を設定している場合における着信履歴データ保存処理の制御内容を示している。
制御回路１０は、着信履歴データ保存処理に移行すると、新たに発生した着信の相手先電話番号がメモリ１６に既に保存されている着信履歴データの相手先電話番号と同一であるか否かを判定する（ステップＳ２１）。
【００７９】
ここで、制御回路１０は、新たに発生した着信の相手先電話番号がメモリ１６に既に保存されている着信履歴データの相手先電話番号と同一であれば、ステップＳ２１において「ＹＥＳ」と判定し、新たに発生した着信の相手先電話番号と同一である相手先電話番号を有する着信履歴データを削除する（ステップＳ２２）。
【００８０】
次いで、制御回路１０は、新たに発生した着信の着信種別が不在着信であるか否かを判定する（ステップＳ２３）。そして、制御回路１０は、新たに発生した着信の着信種別が不在着信であれば、ステップＳ２３において「ＹＥＳ」と判定し、新たに発生した着信に係る着信履歴データを１件目（先頭）に保存し、これと同時に、該当する相手先電話番号からの不在着信の回数を示す不在着信回数を保存する（ステップＳ２４）。
【００８１】
一方、制御回路１０は、新たに発生した着信の着信種別が不在着信でなければ、ステップＳ２３において「ＮＯ」と判定し、新たに発生した着信に係る着信履歴データを１件目（先頭）に保存する（ステップＳ２５）。
【００８２】
また、制御回路１０は、新たに発生した着信の相手先電話番号がメモリ１６に既に保存されている着信履歴データの相手先電話番号と同一でなければ、ステップＳ２１において「ＮＯ」と判定し、保存されている着信履歴データの件数が保存可能な最大件数（ここでは、２０件）に達しているか否かを判定する（ステップＳ２６）。そして、制御回路１０は、保存されている着信履歴データの件数が最大件数に達していなければ、ステップＳ２６において「ＮＯ」と判定し、新たに発生した着信に係る着信履歴データを１件目（先頭）に保存する（ステップＳ２５）。
【００８３】
また、制御回路１０は、保存されている着信履歴データの件数が最大件数に達していれば、ステップＳ２６において「ＹＥＳ」と判定し、保存されている着信履歴データのうちの例えば着信日時が最も古い着信履歴データを削除し（ステップＳ２７）、新たに発生した着信に係る着信履歴データを１件目（先頭）に保存する（ステップＳ２５）。
【００８４】
このようにして、制御回路１０は、「不在着信回数表示」の保存方法を設定している場合には、新たに発生した着信の相手先電話番号がメモリ１６に既に保存されている着信履歴データの相手先電話番号と同一であって着信種別が不在着信であれば、新たに発生した着信に係る着信履歴データを上書き保存し、その際、不在着信回数を保存する。そして、これ以降、ユーザが着信回数を読出すためのキーを操作すると、制御回路１０は、ディスプレイ制御回路１４に表示指令を出力することにより、不在着信回数をディスプレイ４に表示させる。
【００８５】
ところで、以上は、制御回路１０が「全て保存」、「不在着信のみ」、「登録メモリのみ」、「指定メモリのみ」、「発番号ありのみ」および「全て破棄」の６つの保存条件のうちのいずれかの保存条件を選択して設定し、また、「全て保存」、「上書き保存」、「着信回数表示」および「不在着信回数表示」の４つの保存方法のうちのいずれかの保存方法を選択して設定する構成を説明したものでるが、これに限らず、いずれかの保存条件やいずれかの保存方法を固定する構成も可能である。そして、その場合には、制御回路１０は、固定している保存条件を満たす着信に係る着信履歴データを保存し、また、固定している保存方法にしたがって着信に係る着信履歴データを保存することになる。
【００８６】
以上に説明したように本実施例によれば、ユーザがキーを操作することに応じて、制御回路１０が保存条件を選択して設定し、「不在着信のみ」の保存条件を設定すると、着信種別が不在着信である着信に係る着信履歴データのみを保存し、「登録メモリのみ」の保存条件を設定すると、相手先電話番号がメモリダイヤルとして登録されている電話番号である着信に係る着信履歴データのみを保存し、「指定メモリのみ」の保存条件を設定すると、相手先電話番号がメモリダイヤルとして登録されている電話番号であって指定された電話番号である着信に係る着信履歴データのみを保存し、「発番号ありのみ」の保存条件を設定すると相手先電話番号が発信者電話番号通知サービスを有効としている電話番号である着信に係る着信履歴データのみを保存するように構成したので、特定の保存条件を満たす着信に係る着信履歴データのみを保存することができ、これにより、使い勝手の向上を図ることができる。
【００８７】
また、制御回路１０が「全て保存」の保存条件を設定すると、着信種別や相手先電話番号に拘らず、全ての着信に係る着信履歴データを保存するように構成したので、全ての着信に係る着信履歴データを保存することもでき、一方、制御回路１０が「全て破棄」の保存条件を設定すると、着信種別や相手先電話番号に拘らず、全ての着信に係る着信履歴データを保存しないように構成したので、全ての着信に係る着信履歴データを保存しないこともでき、これにより、使い勝手の向上をさらに図ることができる。
【００８８】
また、ユーザがキーを操作することに応じて、制御回路１０が保存方法を選択して設定し、「全て保存」の保存方法を設定すると、新たに発生した着信の相手先電話番号が既に保存されている着信履歴データの相手先電話番号と同一であれば、新たに発生した着信に係る着信履歴データを新規保存し、「上書き保存」の保存方法を設定すると、新たに発生した着信の相手先電話番号が既に保存されている着信履歴データの相手先電話番号と同一であれば、新たに発生した着信に係る着信履歴データを上書き保存し、「着信回数表示」の保存方法を設定すると、新たに発生した着信の相手先電話番号が既に保存されている着信履歴データの相手先電話番号と同一であって着信日時が一定時間内であれば、新たに発生した着信に係る着信履歴データを上書き保存すると共に着信回数を保存し、「不在着信回数表示」の保存方法を設定すると、新たに発生した着信の相手先電話番号が既に保存されている着信履歴データの相手先電話番号と同一であって着信種別が不在着信であれば、新たに発生した着信に係る着信履歴データを上書き保存すると共に不在着信回数を保存するように構成したので、特定の保存方法にしたがって着信に係る着信履歴データを保存することができ、これにより、使い勝手の向上を図ることができる。
【００８９】
また、制御回路１０が「着信回数表示」の保存方法を設定すると、着信回数を保存し、着信回数をディスプレイ４に表示させるように構成したので、発生した着信の着信回数を認識することができる。また、制御回路１０が「不在着信回数表示」の保存方法を設定すると、不在着信回数を保存し、不在着信回数をディスプレイ４に表示させるように構成したので、発生した着信の不在着信回数を認識することができる。
【００９０】
本発明は、上記した実施例にのみ限定されるものでなく、次のように変形または拡張することができる。
通信端末としては、携帯電話機に限らず、着信履歴機能を備えたものであれば、例えばＰＤＡ（Personal Digital Assistant）などの他のものであっても良い。
キーの操作手順は、他の手順であっても良い。
メモリが保存可能な着信履歴データの最大件数は、２０件に限らず、他の件数であっても良い。
【図面の簡単な説明】
【図１】本発明の一実施例の制御内容を示すフローチャート
【図２】外観斜視図
【図３】電気的な構成を示す機能ブロック図
【図４】着信履歴データを示す図
【図５】ディスプレイにおける表示画面の遷移を示す図
【図６】図５相当図
【図７】図５相当図
【図８】図５相当図
【図９】「着信回数表示」の保存方法を設定している場合における制御内容を示すフローチャート
【図１０】「不在着信回数表示」の保存方法を設定している場合における制御内容を示すフローチャート
【符号の説明】
図面中、１は携帯電話機（通信端末）、３はキーパッド（保存条件指定手段、保存方法指定手段）、４はディスプレイ（表示手段）、１０は制御回路（制御手段）、１６はメモリ（着信履歴データ保存手段）である。
【図１】
0004131066.tif 000002
【図２】
0004131066.tif 000003
【図３】
0004131066.tif 000004
【図４】
0004131066.tif 000005
【図５】
0004131066.tif 000006
【図６】
0004131066.tif 000007
【図７】
0004131066.tif 000008
【図８】
0004131066.tif 000009
【図９】
0004131066.tif 000010
【図１０】
0004131066.tif 000011